(57)【要約】【課題】記録材が搬送方向に対して傾いて給紙装置から搬送されることを抑制することを目的とする。【解決手段】用紙抑え爪４７は、用紙収容部４４の用紙搬送方向下流側において、幅方向の一方の端部側から、用紙収容部４４に収容された用紙の上部へ向かって延びて設けられ、用紙の上部への移動を規制する。サブガイド４６は、用紙収容部４４の幅方向の一方の端部側において、用紙抑え爪４７よりも用紙搬送方向上流側に設けられ、用紙を幅方向の他方の端部側へ押圧して用紙の搬送方向を案内する。【選択図】図２
2017024829.tif 000002
【特許請求の範囲】
【請求項１】
記録材を収容する記録材収容部材と、
前記記録材収容部材の記録材搬送方向下流側において、幅方向の一方の端部側から、当該記録材収容部材に収容された前記記録材の上部へ向かって延びて設けられ、当該記録材の上部への移動を規制する規制部を有する規制部材と、
前記記録材収容部材の前記幅方向の一方の端部側において、前記規制部材よりも記録材搬送方向上流側に設けられ、前記記録材を前記幅方向の他方の端部側へ押圧して当該記録材の搬送方向を案内する案内部材と、
を備える給紙装置。
【請求項２】
前記案内部材は、前記規制部材に対し前記記録材搬送方向に隣接して設けられることを特徴とする請求項１に記載の給紙装置。
【請求項３】
前記規制部材は、前記記録材収容部材の記録材搬送方向下流側端部に設けられることを特徴とする請求項１または２に記載の給紙装置。
【請求項４】
前記規制部材の下部に、前記記録材収容部材の前記幅方向の一方の端部よりも他方の端部側に突出して設けられる突出面を有する突出案内部材をさらに備えることを特徴とする請求項１乃至３のいずれかに記載の給紙装置。
【請求項５】
前記突出案内部材は、前記規制部材の前記規制部よりも上部まで設けられることを特徴とする請求項４に記載の給紙装置。
【請求項６】
前記突出案内部材は、記録材搬送方向下流側に向かうとともに前記幅方向の他方の端部側へ傾斜し、突出面の記録材搬送方向上流側と接続する傾斜面をさらに備えることを特徴とする請求項４または５に記載の給紙装置。
【請求項７】
記録材を収容する記録材収容部材と、
前記記録材収容部材の記録材搬送方向下流側において、幅方向の一方の端部側から、当該記録材収容部材に収容された前記記録材の上部へ向かって延びて設けられ、当該記録材の上部への移動を規制する規制部を有する規制部材と、
前記記録材収容部材の前記幅方向の一方の端部側において、前記規制部材よりも記録材搬送方向上流側に設けられ、前記記録材を前記幅方向の他方の端部側へ押圧して当該記録材の搬送方向を案内する案内部材と、
搬送された前記記録材に画像を形成する画像形成部と、
前記記録材収容部材から前記画像形成部に向けて前記記録材を搬送する給紙部材と、
を備える画像形成装置。
【発明の詳細な説明】
【技術分野】
【０００１】
本発明は、給紙装置および画像形成装置に関する。
【背景技術】
【０００２】
特許文献１には、用紙ガイドにおいて用紙収容部に形成された凹所に収納されているサブガイドがバネ部により上方に向かって付勢されており、サブガイドの突出部分のサブガイド面は、押上板により積層された用紙の一部が用紙ガイドのガイド面を超える位置まで押し上げられた際、その用紙をガイド面に代わってガイドする給紙カセットが開示されている。
【先行技術文献】
【特許文献】
【０００３】
【特許文献１】特開平５−６９９５０号公報
【発明の概要】
【発明が解決しようとする課題】
【０００４】
記録材を収容して給紙する給紙装置は、記録材を幅方向に揃えるガイドを備えており、このガイドが記録材を幅方向に揃えることで、記録材が搬送方向に対して傾いた状態で搬送されることを抑制する。
しかしながら給紙装置が収容する記録材に曲がり（カール）が生じた場合、記録材がガイドの上端を越えることがある。その結果、ガイドの規制を受けず、記録材が搬送方向に対して傾いて搬送されることがある。
本発明は、記録材が搬送方向に対して傾いて給紙装置から搬送されることを抑制することを目的とする。
【課題を解決するための手段】
【０００５】
請求項１に記載の発明は、記録材を収容する記録材収容部材と、前記記録材収容部材の記録材搬送方向下流側において、幅方向の一方の端部側から、当該記録材収容部材に収容された前記記録材の上部へ向かって延びて設けられ、当該記録材の上部への移動を規制する規制部を有する規制部材と、前記記録材収容部材の前記幅方向の一方の端部側において、前記規制部材よりも記録材搬送方向上流側に設けられ、前記記録材を前記幅方向の他方の端部側へ押圧して当該記録材の搬送方向を案内する案内部材と、を備える給紙装置である。
請求項２に記載の発明は、前記案内部材は、前記規制部材に対し前記記録材搬送方向に隣接して設けられることを特徴とする請求項１に記載の給紙装置である。
請求項３に記載の発明は、前記規制部材は、前記記録材収容部材の記録材搬送方向下流側端部に設けられることを特徴とする請求項１または２に記載の給紙装置である。
請求項４に記載の発明は、前記規制部材の下部に、前記記録材収容部材の前記幅方向の一方の端部よりも他方の端部側に突出して設けられる突出面を有する突出案内部材をさらに備えることを特徴とする請求項１乃至３のいずれかに記載の給紙装置である。
請求項５に記載の発明は、前記突出案内部材は、前記規制部材の前記規制部よりも上部まで設けられることを特徴とする請求項４に記載の給紙装置である。
請求項６に記載の発明は、前記突出案内部材は、記録材搬送方向下流側に向かうとともに前記幅方向の他方の端部側へ傾斜し、突出面の記録材搬送方向上流側と接続する傾斜面をさらに備えることを特徴とする請求項４または５に記載の給紙装置である。
請求項７に記載の発明は、記録材を収容する記録材収容部材と、前記記録材収容部材の記録材搬送方向下流側において、幅方向の一方の端部側から、当該記録材収容部材に収容された前記記録材の上部へ向かって延びて設けられ、当該記録材の上部への移動を規制する規制部を有する規制部材と、前記記録材収容部材の前記幅方向の一方の端部側において、前記規制部材よりも記録材搬送方向上流側に設けられ、前記記録材を前記幅方向の他方の端部側へ押圧して当該記録材の搬送方向を案内する案内部材と、搬送された前記記録材に画像を形成する画像形成部と、前記記録材収容部材から前記画像形成部に向けて前記記録材を搬送する給紙部材と、を備える画像形成装置である。
【発明の効果】
【０００６】
請求項１の発明によれば、記録材が搬送方向に対して傾いて給紙装置から搬送されることを抑制することができる。
請求項２の発明によれば、記録材に曲がりが発生した場合でも、記録材が搬送方向に対して傾いて搬送されることを抑制することができる。
請求項３の発明によれば、記録材の曲がりを抑制して、記録材が搬送方向に対して傾いて搬送されることを抑制することができる。
請求項４の発明によれば、案内部材よりも搬送方向下流側で、記録材が搬送方向に対して傾いて搬送されることを抑制することができる。
請求項５の発明によれば、案内部材よりも搬送方向下流側で記録材に曲がりが発生した場合でも、記録材が搬送方向に対して傾いて搬送されることを抑制することができる。
請求項６の発明によれば、記録材が、案内部材と突出案内部材との間で引っ掛かることを抑制することができる。
請求項７の発明によれば、記録材が搬送方向に対して傾いて給紙装置から搬送されることを抑制することができる。
【図面の簡単な説明】
【０００７】
【図１】本実施形態の画像形成装置の構成例を示した図である。
【図２】給紙トレイの構成例を示した斜視図である。
【図３】（ａ）は、図２のＩＩＩａ方向からサブガイドを眺めた斜視図であり、（ｂ）は、図２のＩＩＩｂ方向からサブガイドを眺めた斜視図である。
【図４】図２のＩＶ方向からサブガイドを眺めた給紙トレイの断面図である。
【図５】図２のＩＩＩａ方向と同様の方向から給紙トレイを眺めた正面図である。
【図６】（ａ）は、用紙抑え爪の拡大図であり、（ｂ）は、図６（ａ）のＶｂ方向から用紙抑え爪を眺めた図である。
【図７】図５のＶＩＩ方向から傾斜ガイドを眺めた図であって、傾斜ガイドの拡大図である。
【発明を実施するための形態】
【０００８】
＜画像形成装置１の説明＞
以下、添付図面を参照して、本発明を実施するための形態について詳細に説明する。
図１は、本実施の形態の画像形成装置１の構成例を示した図であり、画像形成装置１を、ユーザによる指示や操作を受け付けるフロントＦ側から眺めた正面図である。
図１に示す画像形成装置１は、所謂タンデム型のカラープリンタであり、画像データに基づき画像形成を行う画像形成部１０と、画像形成部１０に向けて用紙Ｐを供給する給紙部４０と、画像形成部１０および給紙部４０を内部に収容して保持する筐体５０と、画像形成部１０により画像形成を行った用紙Ｐを積載する用紙積載部７０とを備えている。また、画像形成装置１は、画像形成装置１全体の動作を制御する制御部３０と、例えばパーソナルコンピュータ（ＰＣ）３や画像読取装置（スキャナ）４等との通信を行って画像データを受信する通信部３１と、通信部３１にて受信された画像データに対し予め定めた画像処理を施す画像処理部３２とを備えている。
【０００９】
給紙部４０は、用紙束を収容する給紙トレイ４１と、給紙トレイ４１に収容された用紙束の最上位の用紙Ｐのうち搬送方向下流側端部に接触して用紙Ｐを画像形成部１０に対して送り出す給紙部材の一例としての送り出しロール４２とを備えている。また給紙部４０は、回転可能に配置されたフィードロール４３Ａと回転が制限されたリタードロール４３Ｂとによって構成され、送り出しロール４２により送り出された用紙Ｐを一枚ずつに捌くとともに捌いた一枚の用紙Ｐを送り出す捌き機構４３を備えている。そして、給紙部４０は、給紙トレイ４１が収容する用紙束から最上位の用紙Ｐを順次取り出して、用紙Ｐを画像形成部１０の二次転写位置へと向けて供給する。
【００１０】
画像形成部１０は、一定の間隔を置いて並列的に配置されるイエロー（Ｙ）、マゼンタ（Ｍ）、シアン（Ｃ）、ブラック（Ｋ）の４つの画像形成ユニット１１Ｙ、１１Ｍ、１１Ｃ、１１Ｋ（以下、画像形成ユニット１１と総称する）を備えている。各画像形成ユニット１１は、静電潜像を形成してトナー像を保持する感光体ドラム１２と、感光体ドラム１２の表面を帯電する帯電器１３と、帯電器１３によって帯電された感光体ドラム１２を画像データに基づいて露光する露光器１４とを備えている。また、各画像形成ユニット１１は、感光体ドラム１２上に形成された静電潜像を現像する現像器１５と、転写後の感光体ドラム１２表面を清掃するクリーナ１６とを備えている。
【００１１】
さらに、画像形成部１０は、各画像形成ユニット１１の感光体ドラム１２にて形成された各色トナー像が多重転写される中間転写ベルト２０と、各画像形成ユニット１１による各色トナー像を中間転写ベルト２０に順次転写（一次転写）させる一次転写ロール２１と、中間転写ベルト２０上に転写された重畳トナー像を用紙Ｐに一括転写（二次転写）させる二次転写ロール２２と、及び二次転写された画像を用紙Ｐ上に定着させる定着器６０とを備えている。
【００１２】
なお、本実施形態の画像形成装置１は、Ｙ、Ｍ、Ｃ、Ｋのカラー画像を用紙Ｐに形成する所謂カラー機である。しかしながら、画像形成装置１は、カラー機に限定されるものではない。画像形成装置１は、例えば用紙Ｐに白黒の画像を形成する所謂モノクロ機であっても構わない。
また、以下の説明では、画像形成装置１において、フロントＦ側からリアＲ側に向かう方向をＸ方向、下方から上方に向かう方向をＹ方向、Ｘ方向とＹ方向とに交差する方向であって、フロントＦ側から見た場合の左側から右側に向かう方向をＺ方向、と称する。
【００１３】
＜給紙トレイの説明＞
続いて、本実施の形態の給紙トレイ４１の構成について説明する。
図２は、給紙トレイ４１の構成例を示した斜視図である。
給紙装置の一例としての給紙トレイ４１は、複数の用紙Ｐからなる用紙束を積載して収容する用紙収容部４４を備えている。また、給紙トレイ４１は、用紙収容部４４の内側であって、用紙Ｐの搬送方向Ｔと交差する給紙トレイ４１の幅方向の一方の端部側および他方の端部側にそれぞれ設けられるサイドガイド４５を備えている。
【００１４】
記録材収容部材の一例としての用紙収容部４４は、箱状に形成されるとともに上部が開放され内部に用紙Ｐを収容する。また用紙収容部４４は、一部が画像形成装置１の筐体５０よりもＺ方向に突出している。ここで用紙収容部４４は、給紙トレイ４１の搬送方向上流側に位置する第１側壁４４Ａと、第１側壁４４Ａの対向位置であって給紙トレイ４１の搬送方向下流側に位置する第２側壁４４Ｂとを備えている。また、用紙収容部４４は、給紙トレイ４１のリアＲ側に設けられ、第１側壁４４Ａと第２側壁４４Ｂとを接続する第３側壁４４Ｃと、第３側壁４４Ｃに対向して給紙トレイ４１のフロントＦ側に設けられ、第１側壁４４Ａと第２側壁４４Ｂとを接続する第４側壁４４Ｄとを備えている。さらに、用紙収容部４４は、搬送方向下流側に設けられた不図示のばねにより支持される底面４４Ｅを備えている。
【００１５】
給紙トレイ４１は、画像形成装置１の筐体５０からＺ方向に引き出し可能に設けられている。用紙収容部４４の底面４４Ｅは、第３側壁４４Ｃおよび第４側壁４４Ｄの搬送方向下流側端部に設けられたラックアンドピニオン等既存の技術により構成される移動機構と接続している。給紙トレイ４１を画像形成装置１の筐体５０から引き出すと、移動機構の作動により、底面４４Ｅは、ばねから受ける押圧力に反して下部に移動する。
【００１６】
これにより、給紙トレイ４１に対して新たな用紙Ｐが補充可能となる。そして、給紙トレイ４１を筐体５０に対して−Ｚ方向に押して挿入すると移動機構の作動が解除され、底面４４Ｅは、ばねからの押圧力を受けて搬送方向下流側を中心に上昇する。これに伴い、給紙トレイ４１が収容する用紙束は上昇し、給紙トレイ４１の上部に設けられた送り出しロール４２は、用紙束の最上位の用紙Ｐに接触して用紙Ｐを送り出す。
【００１７】
サイドガイド４５は、給紙トレイ４１のリアＲ側に設けられたサイドガイド４５Ｒと、給紙トレイ４１のフロントＦ側に設けられたサイドガイド４５Ｆとを備えている。サイドガイド４５は、底面４４Ｅ上を給紙トレイ４１の幅方向に移動可能に設けられ、用紙束が幅方向に移動することを規制する。
【００１８】
また、サイドガイド４５Ｒは、用紙収容部４４のフロントＦ側に向かって突出して設けられるサブガイド４６と、サブガイド４６よりも搬送方向下流側に設けられ、用紙収容部４４に積載する用紙束の上部へ向かって延びて設けられた用紙抑え爪４７とを備えている。さらに、サイドガイド４５Ｒは、用紙抑え爪４７の下部に設けられ、用紙Ｐの搬送を案内する傾斜ガイド４８とを備えている。
【００１９】
＜サブガイドの説明＞
続いて、サイドガイド４５Ｒが備えるサブガイド４６について説明する。
図３（ａ）は、図２のＩＩＩａ方向からサブガイド４６を眺めた斜視図であり、図３（ｂ）は、図２のＩＩＩｂ方向からサブガイド４６を眺めた斜視図である。図４は、図２のＩＶ方向からサブガイド４６を眺めた給紙トレイ４１の正面図である。
なお、図３（ａ）、（ｂ）では、給紙トレイ４１のうちサブガイド４６以外の構成は省略する。
【００２０】
案内部材の一例としてのサブガイド４６は、図３（ａ）に示すように、用紙収容部４４が収容する用紙束の最上位の用紙Ｐに接触して用紙Ｐの搬送方向を案内する接触面４６Ａを備えている。
またサブガイド４６は、接触面４６Ａから上下左右に延びるとともにリアＲ側に向かって曲がる曲面４６Ｂを備える。曲面４６Ｂは、給紙トレイ４１に新たに用紙Ｐを補充する際や、用紙収容部４４の底面４４Ｅが上昇する際に用紙Ｐがサブガイド４６に引っ掛かることを抑制する。
【００２１】
さらにサブガイド４６は、図３（ｂ）に示すように、接触面４６Ａおよび曲面４６Ｂの裏面から給紙トレイ４１のリアＲ側に延び、先端が鈎状に形成された複数のスナップフィット４６Ｃを備えている。またさらに、サブガイド４６は、接触面４６Ａの裏面のうちの上部から給紙トレイ４１のリアＲ側に延びて設けられたばね４６Ｄを備えている。
【００２２】
サイドガイド４５Ｒには複数の開口を備える開口部（図示せず）が設けられており、複数のスナップフィット４６Ｃがそれぞれ開口部の開口を通ることにより、サイドガイド４５Ｒがサブガイド４６を支持する。また接触面４６Ａは、サイドガイド４５Ｒとの間に位置するばね４６Ｄから給紙トレイ４１のフロントＦ側に押圧力を受ける。そして、図４に示すように、鈎状に形成されたスナップフィット４６Ｃの先端がサイドガイド４５Ｒの開口部に引っ掛かり移動が規制されるまで、サブガイド４６は、サイドガイド４５ＲよりもフロントＦ側へ突出する。サブガイド４６の接触面４６Ａは、給紙トレイ４１の幅方向について、用紙収容部４４に収容し得る用紙束の最大の高さよりも上部に位置する。
【００２３】
これによりサブガイド４６は、用紙束の最上位の用紙Ｐに接触してサイドガイド４５Ｆへ案内するため、用紙Ｐとサイドガイド４５Ｒとの間に隙間が生じている場合であっても、用紙Ｐが搬送方向に対して傾いて給紙トレイ４１から搬送されることを抑制する。
なお、ばね４６Ｄの押圧力に反して接触面４６ＡをリアＲ側に押すと、接触面４６Ａとサイドガイド４５Ｒとが給紙トレイ４１の幅方向に揃う位置で、サブガイド４６のリアＲ側への移動が規制される。また、図示する例ではサブガイド４６は１個であるが、サイドガイド４５Ｒ上の搬送方向に複数設けられる構成であってもよい。
【００２４】
＜用紙抑え爪の説明＞
次に、用紙抑え爪４７について説明する。
図５は、図２のＩＩＩａ方向と同様の方向から給紙トレイ４１を眺めた正面図である。また、図６（ａ）は、用紙抑え爪４７の拡大図であり、図６（ｂ）は、図６（ａ）のＶｂ方向から用紙抑え爪４７を眺めた図である。
【００２５】
規制部材の一例としての用紙抑え爪４７は、搬送方向下流側が、上下移動する底面４４Ｅに干渉しない範囲で、用紙収容部４４の搬送方向下流側端部に設けられる。また、用紙抑え爪４７は、サブガイド４６に隣接して設けられる。規制部の一例としての用紙抑え爪４７の下端部は、用紙収容部４４が収容する用紙束のうち最上位の用紙Ｐに接触する。
【００２６】
ここで、図６（ａ）に示すように、用紙抑え爪４７は、フロントＦ側に延びるとともに上面が下方に傾斜して形成される用紙案内面４７Ａを備える。用紙案内面４７Ａは、給紙トレイ４１の上部から給紙トレイ４１に新たに用紙Ｐを補充する際に、用紙Ｐを用紙収容部４４へ案内し、補充しようとする用紙Ｐが用紙抑え爪４７に引っ掛かることを抑制する。また、図６（ｂ）に示すように、用紙抑え爪４７の先端はＵ字状に形成される。なお、用紙抑え爪４７は、サイドガイド４５Ｒに設けられるとともに、サイドガイド４５Ｒの設置位置に対向して、サイドガイド４５Ｆにも設けられていてもよい。
【００２７】
給紙トレイ４１を画像形成装置１の筐体５０に挿入すると、用紙収容部４４の底面４４Ｅが上昇に伴い、用紙収容部４４が収容する用紙束が上昇して用紙抑え爪４７に近づく。このとき、用紙束の最上位の用紙Ｐにカールが発生していても、用紙抑え爪４７が用紙Ｐに接触して用紙Ｐの上部への移動を規制することで、用紙Ｐの更なる上昇が規制される。この状態で、サブガイド４６が用紙Ｐをサイドガイド４５Ｆへ押圧して搬送方向を案内する。
【００２８】
このように本実施の形態では、用紙Ｐのうちカールが発生しやすい用紙先端部に近い位置に用紙抑え爪４７が設けられており、用紙Ｐの上部への移動を規制する。そして、この状態で、サブガイド４６が用紙Ｐをサイドガイド４５Ｆへ案内する。そのため、カールが発生した用紙Ｐがサブガイド４６を乗り越えないようサブガイド４６を上部まで設けなくても、サブガイド４６が用紙Ｐを揃える。これにより、用紙Ｐが搬送方向に対して傾いて給紙トレイ４１から搬送されることが抑制される。
【００２９】
一方で、用紙Ｐが搬送方向に対して傾いて給紙トレイ４１から搬送されることを抑制する観点からは、送り出しロール４２により近い位置にサブガイド４６を設け、サブガイド４６が用紙Ｐの搬送方向を案内することが望ましい。しかし、用紙収容部４４の搬送方向下流側端部には用紙抑え爪４７が設けられているため、サブガイド４６は、その分だけ送り出しロール４２から搬送方向上流側へ遠ざかる位置となる。
【００３０】
ここで、サブガイド４６を用紙収容部４４の搬送方向下流側端部に設け、用紙抑え爪４７をサブガイド４６の上端に接続して設ける構成も考えられる。しかし、この構成によると、用紙抑え爪４７をサイドガイド４５Ｒの代わりにサブガイド４６に接続する分だけさらに、用紙抑え爪４７が給紙トレイ４１のフロントＦ側に突出する。この場合、給紙トレイ４１に新たに補充される用紙Ｐが用紙抑え爪４７に引っ掛かり、用紙Ｐの補充を円滑に実施できなくなるおそれがある。
【００３１】
また、厚紙等、斤量が大きい用紙Ｐを搬送する際は、サブガイド４６が押し広げられる場合がある。その結果、用紙Ｐが搬送方向に対して傾いて給紙トレイ４１から搬送されやすくなる。
そこで、本実施の形態では、用紙抑え爪４７の下部に傾斜ガイド４８を設けている。
【００３２】
＜傾斜ガイドの説明＞
次に、傾斜ガイド４８の構成について説明する。
図７は、図５のＶＩＩ方向から傾斜ガイド４８を眺めた図であって、傾斜ガイド４８の拡大図である。なお、用紙抑え爪４７の構成は、ここでは省略する。
突出案内部材の一例としての傾斜ガイド４８は、サイドガイド４５Ｒから搬送方向下流側に延びるとともに搬送方向下流側が給紙トレイ４１のフロントＦ側に傾斜して設けられる傾斜面４８Ａを備えている。また、傾斜ガイド４８は、傾斜面４８Ａに接続して、搬送方向下流側に延びて設けられる突出面の一例としての斜行規制面４８Ｂとを備えている。搬送方向に対して傾斜面４８Ａが給紙トレイ４１のフロントＦ側に傾斜する角度は、３°〜１０°程度が望ましい。
【００３３】
さらに、傾斜ガイド４８は、斜行規制面４８Ｂが形成される搬送方向下流側で、幅方向の厚みが薄く設けられる薄板４８Ｄを備える。またさらに、傾斜ガイド４８は、図５に示すように、搬送方向下流側に延びるとともに上に傾斜する下端部４８Ｃを備える。下端部４８Ｃは、傾斜ガイド４８の下部に設けられ上下移動を行う底面４４Ｅに干渉しないように構成される。
傾斜ガイド４８は、用紙抑え爪４７の下端部と接続し、用紙抑え爪４７の下端部よりも上部まで設けられる。
【００３４】
斜行規制面４８Ｂは、サイドガイド４５Ｒよりも給紙トレイ４１のフロントＦ側に突出して設けられる。そして、斜行規制面４８Ｂは、用紙束の最上位の用紙Ｐのうちサブガイド４６よりも搬送方向下流側の部分が幅方向に移動することや、斤量が大きい用紙Ｐがサブガイド４６を押し広げて幅方向に移動することを規制する。
【００３５】
これにより、サブガイド４６よりも搬送方向下流側で、用紙Ｐが搬送方向に対して傾いて給紙トレイ４１から搬送されることを抑制する。また、斜行規制面４８Ｂは傾斜面４８Ａに接続して設けられるため、給紙トレイ４１に補充される用紙Ｐが、サブガイド４６と傾斜ガイド４８との間で引っ掛かることが抑制される。さらに、傾斜ガイド４８は用紙抑え爪４７と接続して設けられるため、用紙Ｐにカールが発生した場合であっても、用紙Ｐが傾斜ガイド４８を乗り越えることなく、用紙Ｐが搬送方向に対して傾いて給紙トレイ４１から搬送されることを抑制する。
【００３６】
なお、本実施の形態では、サイドガイド４５はサイドガイド４５Ｆとサイドガイド４５Ｒとを備えているが、サイドガイド４５Ｆを設けずに、サブガイド４６が用紙Ｐを押圧して用紙収容部４４の第４側壁４４Ｄに揃える構成にしてもよい。
また、給紙トレイ４１を筐体５０からＺ方向に引き出す構成としているが、筐体５０に対してＸ方向または−Ｘ方向へ給紙トレイ４１を引き出して筐体５０から取り出す構成にしてもよい。
【００３７】
さらに、サブガイド４６と、用紙抑え爪４７と、傾斜ガイド４８とは、サイドガイド４５Ｒに設けられているが、給紙トレイ４１にサイドガイド４５を設けない構成を採用する場合には、これらを第３側壁４４Ｃに設けてもよい。
またさらに、画像形成装置１は、１つの給紙トレイ４１を備えているが、複数の給紙トレイ４１をそれぞれ別個に、多段に備える構成であってもよい。
【符号の説明】
【００３８】
１…画像形成装置、４０…給紙部、４１…給紙トレイ、４２…送り出しロール、４３…捌き機構、４４…用紙収容部、４５…サイドガイド、４６…サブガイド、４７…用紙抑え爪、４８…傾斜ガイド
【図１】
2017024829.tif 000003
【図２】
2017024829.tif 000004
【図３】
2017024829.tif 000005
【図４】
2017024829.tif 000006
【図５】
2017024829.tif 000007
【図６】
2017024829.tif 000008
【図７】
2017024829.tif 000009